(57)【特許請求の範囲】
【請求項１】
第１の伝送装置と第２の伝送装置とからなる二重化伝送装置において、前記第１の伝送装置内に前記第１の伝送装置内の状態及び伝送路の状態を監視する第１の切替制御手段を備え、前記第２の伝送装置内の前記第２の伝送装置内の状態及び伝送路の状態を監視する第２の切替制御手段を備え、
前記第１の切替制御手段及び第２の切替制御手段のそれぞれは、前記第１の伝送装置及び前記第２の伝送装置とは独立に現用又は予備に設定する設定手段を有し、また現用設定されている切替制御手段は自己の前記切替制御手段を収容している伝送装置内の状態の前記監視の結果異常を検出すると、前記設定手段の基に、現用に設定されている切替制御手段が他の切替制御手段を制御して、前記第１の伝送装置及び前記第２の伝送装置に対する現状の現用／予備の切替えを指示する切替信号を送出する切替信号送出手段を有することを特徴とする二重化伝送装置。
【請求項２】
第１の伝送装置と第２の伝送装置とからなる二重化伝送装置において、前記第１の伝送装置内に前記第１の伝送装置内の状態及び伝送路の状態を監視する第１の切替制御手段を備え、前記第２の伝送装置内に前記第２の伝送装置内の状態及び伝送路の状態を監視する第２の切替制御手段を備え、
前記第１の切替制御手段及び前記第２の切替制御手段のそれぞれは、前記第１及び第２の伝送装置とは独立に現用か又は予備かを設定する第１の設定手段を有して、自己の切替制御手段を収容する自伝送装置が現用に設定されている場合には前記監視の結果異常を検出すると、前記自伝送装置に対して現用から予備への切替えを指示する自装置切替制御信号を、また、他の切替制御手段に対して予備から現用への切替えを指示する第１の切替制御信号を出力する切替判定部と、
前記第１の設定手段と同様に現用か又は予備かを設定する第２の設定手段を示し、前記自伝送装置が現用に設定されていて前記監視の結果異常を検出すると、前記第２の設定手段によって切替権利判定結果信号を出力する切替権利判定部と、
前記第１及び第２の設定手段２同様に自己に対する現用か又は予備かを設定すると共に前記第１及び第２の伝送装置の既に設定されている状態の現用か予備かを設定する第３の設定手段を有し、前記第３の設定手段によって前記自伝送装置が現用に設定されている場合には、前記自装置切替制御信号を受信し且つ前記現用であることを示す切替権利判定結果信号を受信して前記自伝送装置に対し現用から予備への切替えを指示する第１の切替信号を出力し、
前記自伝送装置が予備に設定されている場合には、他の切替制御手段からの予備から現用への切替制御信号を受信して予備の前記自伝送装置を予備から現用への切替えを指示する第２の切替信号を出力する切替制御信号選択部とを有することを特徴とする二重化伝送装置。
【請求項３】
第１の伝送装置と第２の伝送装置とからなる二重化伝送装置において、前記第１の伝送装置内に前記第１の伝送装置内の状態及び伝送路の状態を監視する第１の切替制御手段を備え、前記第２の伝送装置内に前記第２の伝送装置内の状態及び伝送路の状態を監視する第２の切替制御手段を備え、
前記第１の切替制御手段及び前記第２の切替制御手段のそれぞれは、前記第１及び第２の伝送装置とは独立に現用か又は予備かを設定する第１の設定手段とを有し、この第１の設定手段によって現用に設定されている場合に、自己の切替制御手段を収容する自伝送装置が現用に設定されていて前記監視の結果異常を検出すると、前記自伝送装置に対して現用から予備への切替を指示する自装置切替制御信号を、また、他の切替制御手段に対して予備から現用への切替えを指示する切替制御信号を出力する切替判定部と、
前記第１の設定手段と同様に現用か又は予備かを設定する第２の設定手段を有し、前記第２の設定手段に前記第１の設定手段と同一に現用にされている場合に、前記自伝送装置が現用に設定されていて前記監視の結果異常を検出すると、現用であることを示す第１の切替権利判定結果信号を出力する切替権利判定部と、前記第１及び第２の設定手段２同様に自己に対する現用か又は予備かを設定すると共に、前記第１及び第２の伝送装置の既に設定されている状態の現用か予備かを設定する第３の設定手段と、前記第３の設定手段によって前記自伝送装置及び自己が現用に設定されている場合に、前記自装置切替制御信号を受信し且つ前記現用であることを示す第１の切替権利判定結果信号を受信していると自伝送装置に対し現用から予備への切替えを指示する第１の切替信号を出力する切替制御信号選択部とを有することを特徴とする二重化伝送装置。
【請求項４】
前記自伝送装置が予備に設定され且つ前記切替判定部、切替権利判定部及び切替制御信号選択部が予備に設定されている場合に、前記切替制御信号選択部は、他の切替制御手段が現用の自伝送装置の異常の検出の結果によって送出する前記他の切替制御手段内の他の切替判定部から送出する予備から現用への切替えを指示する第２の切替制御信号を受信し且つ前記切替権利判定部からの予備であることを示す第２の切替権利判定結果信号によって予備の前記自伝送装置に対して予備から現用への切替えを示す第２の切替信号を出力する請求項３記載の二重化伝送装置。
【請求項５】
前記自伝送装置が現用に設定され、且つ、前記切替判定部、切替権利判定部及び切替制御選択部が予備に設定されている場合に前記切替判定部は前記自伝送装置の前記監視の結果異常を検出すると前記自装置切替制御信号を、また、他の切替制御手段に対して前記第１の切替制御信号を出力し、
前記切替権利判定部は予備であることを示す前記第２の切替権利判定結果信号を出力し、
前記切替制御信号選択部は前記自装置切替制御信号と前記第２の切替権利判定結果信号を受信すると前記第１の切替信号を出力することを特徴とする請求項３記載の二重化装置。
【請求項６】
前記自伝送装置が予備に設定され、且つ前記切替判定部、切替権利判定部及び切替制御信号選択部が現用に設定されている場合に、前記切替制御信号選択部は、他の切替制御手段が現用の自伝送装置の異常の検出の結果によって送出する前記他の切替制御手段内の他の切替判定部から送出する予備から現用への切替を指示する前記第２の切替制御信号を受信し且つ前記切替権利判定部からの予備であることを示す前記第２の切替権利判定結号信号によって予備の前記自伝送装置に対して予備から現用への切替えを示す前記第２の切替信号を出力する請求項３記載の二重化伝送装置。
【発明の詳細な説明】
【０００１】
【発明の属する技術分野】
本発明は二重化伝送装置に関し、特に共通の切替制御装置を有しない二重化伝送装置に関する。
【０００２】
【従来の技術】
この種の従来の技術について図面を参照して説明する。
【０００３】
図６は従来の二重化装置の一例を示すブロック図である。
【０００４】
図６において、この従来の二重化装置は、特開昭５９−２００５６号公報の開示内容を示し、二重化されたユニット１０１，１０２のいずれかに障害が発生した時、相手ユニットの障害監視用回路が障害情報ライン２０３，２０５を介して互いに相手方のユニットに障害が発生したこと及びその程度を自己のユニット１０１又は１０２に伝送するとともに、相手方のユニットが現在、現用状態であるか予備状態であるかを状態情報ライン２０４，２０６を介して自己のユニット１０１又は１０２に伝送する。そしてそれぞれの自己のユニット内で障害検出用回路が検出する自己ユニットの障害発生及びその程度の大小、状態及び相手のユニットの障害発生及びその程度の大小、状態の４種類の情報を基にして障害発生及び障害程度を判断して、自己ユニットを動作状態又は非動作状態のいずれかにするかを決定する。この場合、両ユニットの決定が一致したときには以下のように処置する。
【０００５】
すなわち、両ユニット共に動作状態にすることを決定する場合（両ユニット共に正常の場合）は先に決定した方を優先する。また、両ユニット共に非動作状態にすることを決定する場合（両ユニット共に障害の場合）は、予めそれぞれのユニットに優先順位を設定しておき、その情報と前記４つの情報により正常ユニットは動作状態にすることを決定し、異常ユニットは非動作状態にすることを決定するように設定されており、動作状態にすることを決定したユニットが現用ユニットになり、非動作状態にすることを決定したユニットが予備ユニットになる。つまり本従来の技術においては前述した両回路から発する制御指令で障害発生及び障害程度を判定して両ユニット間で、両ユニット共に正常ならば、現在の状態を維持し、どちらか一方が障害を起せば、正常なユニットを現用ユニットに設定し、異常ユニットを予備にし、又両ユニットが障害になれば予め設定された条件のもとでの正常ユニットを現用ユニットに設定し異常ユニットを予備にする。
【０００６】
【発明が解決しようとする課題】
この従来例の二重化装置は、両ユニットに障害監視回路を有して、両ユニットで障害監視を行っているので、片方の障害監視回路に故障が発生した場合、切替制御ができなくなるという問題点がある。
【０００７】
また、両ユニットの障害監視回路が共に動作しているので、どちらの命令を優先させるかの処理が必要になるという問題点がある。更に、二重化以上のＮ（Ｎ≧３の整数）重化への対応を考えた場合に、Ｎ個の障害監視回路が存在するため、その優先処理が複雑になるという問題点がある。
【０００８】
（発明の目的）
本発明の目的は、二重化されたそれぞれの伝送装置に、独立して現用、予備の設定できる切替制御手段を有して、システム全体を小型化すると共に、障害に対するシステムの信頼性を高めた二重化伝送装置を提供することにある。
【０００９】
【課題を解決するための手段】
本発明の二重化伝送装置は、第１の伝送装置と第２の伝送装置とからなる二重化伝送装置において、前記第１の伝送装置内に前記第１の伝送装置内の状態及び伝送路の状態を監視する第１の切替制御手段を備え、前記第２の伝送装置内の前記第２の伝送装置内の状態及び伝送路の状態を監視する第２の切替制御手段を備え、
前記第１の切替制御手段及び第２の切替制御手段のそれぞれは、前記第１の伝送装置及び前記第２の伝送装置とは独立に現用又は予備に設定する設定手段を有し、また現用設定されている切替制御手段は自己の前記切替制御手段を収容している伝送装置内の状態の前記監視の結果異常を検出すると、前記設定手段の基に、現用に設定されている切替制御手段が他の切替制御手段を制御して、前記第１の伝送装置及び前記第２の伝送装置に対する現状の現用／予備の切替えを指示する切替信号を送出する切替信号送出手段を有している。
【００１０】
本発明の二重化伝送装置は、第１の伝送装置と第２の伝送装置とからなる二重化伝送装置において、前記第１の伝送装置内に前記第１の伝送装置内の状態及び伝送路の状態を監視する第１の切替制御手段を備え、前記第２の伝送装置内に前記第２の伝送装置内の状態及び伝送路の状態を監視する第２の切替制御手段を備え、
前記第１の切替制御手段及び前記第２の切替制御手段のそれぞれは、前記第１及び第２の伝送装置とは独立に現用か又は予備かを設定する第１の設定手段を有して、自己の切替制御手段を収容する自伝送装置が現用に設定されている場合には前記監視の結果異常を検出すると、前記自伝送装置に対して現用から予備への切替えを指示する自装置切替制御信号を、また、他の切替制御手段に対して予備から現用への切替えを指示する第１の切替制御信号を出力する切替判定部と、
前記第１の設定手段と同様に現用か又は予備かを設定する第２の設定手段を示し、前記自伝送装置が現用に設定されていて前記監視の結果異常を検出すると、前記第２の設定手段によって切替権利判定結果信号を出力する切替権利判定部と、
前記第１及び第２の設定手段２同様に自己に対する現用か又は予備かを設定すると共に前記第１及び第２の伝送装置の既に設定されている状態の現用か予備かを設定する第３の設定手段を有し、前記第３の設定手段によって前記自伝送装置が現用に設定されている場合には、前記自装置切替制御信号を受信し且つ前記現用であることを示す切替権利判定結果信号を受信して前記自伝送装置に対し現用から予備への切替えを指示する第１の切替信号を出力し、
前記自伝送装置が予備に設定されている場合には、他の切替制御手段からの予備から現用への切替制御信号を受信して予備の前記自伝送装置を予備から現用への切替えを指示する第２の切替信号を出力する切替制御信号選択部とを有している。
【００１１】
本発明の二重化伝送装置は、第１の伝送装置と第２の伝送装置とからなる二重化伝送装置において、前記第１の伝送装置内に前記第１の伝送装置内の状態及び伝送路の状態を監視する第１の切替制御手段を備え、前記第２の伝送装置内に前記第２の伝送装置内の状態及び伝送路の状態を監視する第２の切替制御手段を備え、
前記第１の切替制御手段及び前記第２の切替制御手段のそれぞれは、前記第１及び第２の伝送装置とは独立に現用か又は予備かを設定する第１の設定手段とを有し、この第１の設定手段によって現用に設定されている場合に、自己の切替制御手段を収容する自伝送装置が現用に設定されていて前記監視の結果異常を検出すると、前記自伝送装置に対して現用から予備への切替を指示する自装置切替制御信号を、また、他の切替制御手段に対して予備から現用への切替えを指示する切替制御信号を出力する切替判定部と、
前記第１の設定手段と同様に現用か又は予備かを設定する第２の設定手段を有し、前記第２の設定手段に前記第１の設定手段と同一に現用にされている場合に、前記自伝送装置が現用に設定されていて前記監視の結果異常を検出すると、現用であることを示す第１の切替権利判定結果信号を出力する切替権利判定部と、前記第１及び第２の設定手段２同様に自己に対する現用か又は予備かを設定すると共に、前記第１及び第２の伝送装置の既に設定されている状態の現用か予備かを設定する第３の設定手段と、前記第３の設定手段によって前記自伝送装置及び自己が現用に設定されている場合に、前記自装置切替制御信号を受信し且つ前記現用であることを示す第１の切替権利判定結果信号を受信していると自伝送装置に対し現用から予備への切替えを指示する第１の切替信号を出力する切替制御信号選択部とを有し、前記自伝送装置が予備に設定され且つ前記切替判定部、切替権利判定部及び切替制御信号選択部が予備に設定されている場合に、前記切替制御信号選択部は、他の切替制御手段が現用の自伝送装置の異常の検出の結果によって送出する前記他の切替制御手段内の他の切替判定部から送出する予備から現用への切替えを指示する第２の切替制御信号を受信し且つ前記切替権利判定部からの予備であることを示す第２の切替権利判定結果信号によって予備の前記自伝送装置に対して予備から現用への切替えを示す第２の切替信号を出力し、前記自伝送装置が現用に設定され、且つ、前記切替判定部、切替権利判定部及び切替制御選択部が予備に設定されている場合に前記切替判定部は前記自伝送装置の前記監視の結果異常を検出すると前記自装置切替制御信号を、また、他の切替制御手段に対して前記第１の切替制御信号を出力し、
前記切替権利判定部は予備であることを示す前記第２の切替権利判定結果信号を出力し、
前記切替制御信号選択部は前記自装置切替制御信号と前記第２の切替権利判定結果信号を受信すると前記第１の切替信号を出力し、前記自伝送装置が予備に設定され、且つ前記切替判定部、切替権利判定部及び切替制御信号選択部が現用に設定されている場合に、前記切替制御信号選択部は、他の切替制御手段が現用の自伝送装置の異常の検出の結果によって送出する前記他の切替制御手段内の他の切替判定部から送出する予備から現用への切替を指示する前記第２の切替制御信号を受信し且つ前記切替権利判定部からの予備であることを示す前記第２の切替権利判定結号信号によって予備の前記自伝送装置に対して予備から現用への切替えを示す前記第２の切替信号を出力する。
【００１２】
【発明の実施の形態】
次に、本発明について図面を参照にして説明する。
【００１３】
図１は本発明の一実施の形態の二重化伝送装置を示すブロック図である。
【００１４】
図１においては、本実施の形態の二重化伝送装置は予め設定された現用側の伝送装置１と、予備側の伝送装置２とからなり、伝送装置１は伝送装置１の現用設定とは独立に、現用又は予備の可変設定が可能な切替制御部１１を備え、同様に、伝送装置２には、伝送装置２の予備設定とは独立に、切替制御部１１とは反対に予備又は現用の可変設定が可能な切替制御部２１とを備え、切替制御部１１は現用設定されていると現用の伝送装置１内の障害等による切替判定情報ａ11を受信すると自伝送装置１内に対して現用から予備への切替信号ａ12を出力すると共に、予備に設定されている他伝送装置２の切替制御部２１に対して予備から現用への切替制御信号ａ1を出力し、また、これとは反対に切替制御部２１は切替制御部１１と同様に、現用設定されていると、現用設定された自伝送装置２内の障害等による切替判定情報ｂ21を受信すると、自伝送装置２内に対して現用から予備への切替信号ｂ22を出力すると共に、予備設定されている他伝送装置１の切替制御部１１に対して予備から現用への切替制御信号ｂ1を出力する。
【００１５】
図２は本実施の形態の二重化伝送装置における切替制御部を示すブロック図である。
【００１６】
図２において、本実施の形態の伝送装置１の切替制御部１１は、予め初期設定された現用か又は予備かの設定情報の基に、現用設定されている伝送装置１内の障害等の情報による切替判定情報ａ11を受信すると自装置（伝送装置１）への切替制御信号ａ13を切替制御信号選択部１１３へ送出する切替判定部１１１と、自伝送装置１を現用又は予備のどちらが予め初期設定され、伝送装置１内の障害等の情報により、切替権利判定情報ａ14が入力され、予め初期設定された現用又は予備のどちらの切替権利判定結果信号ａ15を切替制御選択部１１３へ送出する切替権利判定部１１２と、切替権利判定結果信号ａ15の基に受信している自装置への切替制御信号ａ13か又は他装置（伝送信号２）からの切替制御信号ｂ1を受信して自装置（伝送装置）が現用か又は予備かによって自装置（伝送装置１）への現用から予備又は予備から現用への切替信号ａ12を出力する切替制御信号選択部１１３とを有している。
【００１７】
尚、切替制御部２１においても、切替制御部１１と同様に、切替判定部２１１と、切替権利判定部２１２と、切替制御信号選択部２１３とを有している。
【００１８】
図３は図２に示す本実施の形態における切替制御部内の切替権利判定部の動作を示すフローチャートである。
【００１９】
次に、切替権利判定部１１２の動作について、図２，図３を参照して説明する。
【００２０】
図３において、先ず切替権利判定部１１２は、予め内部の設定入力手段によって、自伝送装置１とは独立に、自切替権利判定部１１２を現用か又は予備かに設定するコード情報を入力して記憶させておく（Ｓ１）。
【００２１】
次に、現用化されている自伝送装置１の内部からの障害情報等を切替権利判定情報（ａ14）として受信した場合に、初期設定情報の基に、自切替制御部１１の自装置切替制御信号ａ13を選択するか又は他切替制御部２１への切替制御信号を選択するか判断する（Ｓ２）。
【００２２】
初期設定の情報が現用に設定されている場合には、自切替制御部１１を選択すべく切替権利判定結果信号ａ15を出力（Ｓ３）。もし、初期設定の情報が予備に設定されて且つ自伝送装置が予備の場合には、他切替制御部２１による他切替制御部からの切替制御部ｂ1を選択するか判断する（Ｓ４）。
【００２３】
再度、初期設定の情報の共に予備に設定されていると、他切替制御部２１からの切替制御信号ｂ1を選択すべく切替権利判定結果信号ａ15を出力する（Ｓ５）。
【００２４】
図４は図２に示す本実施の形態における切替制御部内の切替判定部の動作を示すフローチャートである。
【００２５】
次に、切替判定部１１１の動作について、図２，図４を参照して説明する。
【００２６】
図４において、先ず、切替判定部１１１は、予め内部の設定入力手段によって、自伝送装置１とは独立して、自切替判定部１１を現用か又は予備かに設定するコード情報を入力して記憶させておく（Ｓ１１）。
【００２７】
次に、現用に設定されている場合の自伝送装置１の内部からの障害情報等を切替判定情報ａ11として受信した場合に、初期設定情報の基に、自切替制御部１１の自装置への切替制御信号ａ13を選択するか判断する（Ｓ１２）。
【００２８】
初期設定の情報が現用に設定されている場合には、自装置切替制御信号ａ13及び他切替制御部への切替制御信号ａ1を出力する（Ｓ３）。もし、初期設定の情報が予備に設定されていて且つ自伝送装置１が予備に設定されている場合には、自切替制御部１１への出力はなく、他切替制御部２１からの切替制御信号ｂ1を選択するか判断する（Ｓ１４）。
【００２９】
再度、初期設定の情報の共に予備に設定されていると、他切替制御部２１からの切替制御部ｂ1を選択する（Ｓ１５）。
【００３０】
図５は図２に示す本実施の形態における切替制御信号選択部の動作を示すフローチャートである。
【００３１】
次に、切替制御信号選択部１１３の動作について図２，図５を参照して説明する。
【００３２】
図５において、先ず、切替制御信号選択部１１３は、予め、内部の設定入力手段によって、自伝送装置１とは独立に、自切替制御信号選択部１１３を現用か又は予備かに設定するコード情報を入力して記憶させておく（Ｓ２１）。
【００３３】
次に、初期設定の情報及び切替権利判定結果信号ａ15の基に、切替判定部１１１からの自装置への切替制御信号ａ13を選択するか判断する（Ｓ２２）。
【００３４】
自装置及び自己の初期設定の情報及び切替権利判定結果信号ａ15が現用に設定されている場合には、切替判定部１１１からの自装置への切替制御信号ａ13を選択し、自装置（伝送装置１）への現用から予備への切替信号ａ12として出力する（Ｓ２３）。
【００３５】
もし、自装置及び自己の初期設定の情報及び切替権利判定結果信号ａ15が共に予備に設定されている場合には、切替判定部１１１からの自装置への切替制御信号ａ13の受信はなく、切替制御部２１から出力される他切替制御部からの切替制御信号ｂ1を選択するか判断する（Ｓ２４）。
【００３６】
他切替制御部２１からの切替制御信号ｂ1を選択して受信すると、自装置（伝送装置１）への予備から現用に切替える切替信号ａ12を出力する（Ｓ２５）。
【００３７】
以上、切替制御部１１内の切替判定部１１１，切替権利判定部１１２及び切替制御信号選択部１１３の動作について説明したが、切替制御部２１内の切替判定部２１１，切替権利判定部２１２及び切替制御信号選択部２１３も同様な動作を行うので、その説明を省略する。
【００３８】
次に、図１に示すシステム全体の切替動作について、図１〜図５を参照して説明する。
【００３９】
この切替動作の説明においては、伝送装置１が現用に、伝送装置２が予備に予め設定されていて、これとは独立に切替制御部１１が現用に、切替制御部２１が予備に設定している場合に、現用の伝送装置１内に障害が発生して現用から予備に切替える場合の動作について、以下に説明する。
【００４０】
この場合においては、切替制御部１１が現用として稼動しているため、切替判定部１１１，切替権利判定部１１２及び切替制御信号選択部１１３のそれぞれの初期設定は現用に予め設定されてあり、また切替判定部２１１，切替権利判定部２１２及び切替制御信号選択部２１３のそれぞれの初期設定は予備として予め設定されているものとする。
【００４１】
以上のように設定された図１に示すシステムにおいて、伝送装置１内に障害が発生すると、その障害情報が切替制御部１１の切替判定部１１１に対しては切替判定情報ａ11として入力され、図４に示す動作によって自装置（伝送装置１）への切替制御信号ａ13を出力し、また、他切替制御部２１に対して切替制御信号ａ1を出力する。
【００４２】
また、切替権利判定部１１２は、障害情報を切替権利判定情報ａ14として受信し、図３に示す動作によって、自切替制御部１１が現用であることを示す切替権利判定結果信号ａ15を出力する。
【００４３】
切替制御信号選択部１１３においては、切替権利判定結果信号ａ15の受信によって、受信している自装置への切替制御信号ａ13を自装置（伝送装置１）への切替信号ａ12として出力し、伝送装置１を現用から予備へ切替させる。
【００４４】
切替制御部２１側では、切替制御信号選択部２１３は、切替制御部１１の切替判定部１１１からの他切替制御部からの切替制御信号ａ1を受信すると初期設定が予備に設定していることから、自装置（伝送装置２）への予備から現用に変るべく切替信号ｂ12を出力する。
【００４５】
以上の結果、伝送装置１は予備に、伝送装置２は現用に切替る。
【００４６】
しかし、切替制御部１１は現用で、切替制御部２１は予備のままであり、それを変更するためには、切替制御部１１及び２１内のそれぞれの切替判定部１１１，２１１，切替権利判定部１１２，２１２及び切替制御信号選択部１１３，２１３の初期設定を変更する必要がある。
【００４７】
以上に示したように、本実施の形態においては、二重化された伝送装置１及び２とは独立に現用又は予備の変更が可能なそれぞれの装置内に切替制御部１１及び２１を備えることにより、従来より信頼性の高い切替制御を行うことができる。
【００４８】
また、切替制御部１１及び２１に対して、予め初期設定によって、現用又は予備に設定しているので、どちらの命令を優先させるかの優先処理をなくすことができる。
【００４９】
また、以上の実施の形態のおいては、二重化された伝送装置１及び２について説明したが、それぞれの装置内に独立に現用又は予備の設定ができる切替制御部を備えたＮ重化された伝送装置１，２・・・Ｎの構成も容易に構築するこができる。
【００５０】
【発明の効果】
以上説明したように本発明は、第１の伝送装置と第２の伝送装置とからなる二重化伝送装置において、第１の伝送装置内に第１の伝送装置内の状態及び伝送路の状態を監視する第１の切替制御手段を備え、第２の伝送装置内に第２の伝送装置内の状態及び伝送路の状態を監視する第２の切替制御手段を備え、第１の切替制御手段及び第２の切替制御手段のそれぞれは、第１の伝送装置及び第２の伝送装置とは独立に現用又は予備に設定する設定手段を有し、また現用設定されている自己の切替制御手段は自己の前記切替制御手段を収容している伝送装置内の状態の前記監視の結果異常を検出すると設定手段の基に現用に設定されている切替制御手段が他の切替制御手段を制御して、第１の伝送装置及び第２の伝送装置に対する現状の現用／予備の切替信号を送出する切替信号送出手段を有することにより、
第１に、第１および第２の伝送装置とは別に、これらの伝送装置を監視して切替えの制御を行う独立した切替制御装置を用意する必要がなくなり、システム全体を物理的に規模を小さくすることができる効果がある。
【００５１】
第２に、切替制御手段を各伝送装置に設けることにより、切替制御が分散され、二重化システムの信頼性を高めることができる効果がある。
【図面の簡単な説明】
【図１】本発明の一実施の形態の二重化伝送装置を示すブロック図である。
【図２】本実施の形態の二重化伝送装置における切替制御を示すブロック図である。
【図３】図２に示す本実施の形態における切替制御部内の切替権利判定部の切替権利判定の処理手順を示すフローチャートである。
【図４】図２に示す本実施の形態における切替制御内の切替判定部の切替判定の処理手順を示すフローチャートである。
【図５】図２に示す本実施の形態における切替制御部内の切替制御信号選択部の切替制御信号の選択の処理手順を示すフローチャートである。
【図６】従来の二重化装置の一例を示すブロック図である。
【符号の説明】
１，２    伝送装置
１１，２１    切替制御部
１１１，２１１    切替判定部
１１２，２１２    切替権利判定部
１１３，２１３    切替制御信号選択部
【図１】
0003699049.tif 000002
【図２】
0003699049.tif 000003
【図３】
0003699049.tif 000004
【図４】
0003699049.tif 000005
【図５】
0003699049.tif 000006
【図６】
0003699049.tif 000007